(57)【要約】生活習慣病の疑いがある被験者や生活習慣病の被験者が、自ら自主的に選択・実行可能な複数の改善プログラムを提供し得る健康管理システムを実現する。本発明は、被験者の健康に関するデータを測定する測定手段と、測定データを転送する測定データ転送手段と、測定データを蓄積する蓄積手段と、測定データを加工して加工データを得る加工手段と、測定データまたは加工データに基づいて被験者の健康状態を検査する検査手段と、検査の結果に基づき被験者の健康管理に関する課題を解決するための少なくとも１つの解決策を作成する作成手段と、被験者が少なくとも１つの解決策を選択する選択手段と、を具備する健康管理システムを提供する。
2005091195.tif 000002
【特許請求の範囲】
【請求項１】
被験者の健康に関するデータを測定する測定手段と、
前記測定手段によって得られた測定データを転送する測定データ転送手段と、
前記測定データ転送手段によって転送された前記測定データを蓄積する蓄積手段と、
前記蓄積手段に蓄積された前記測定データを加工し、加工データを得る加工手段と、
前記測定データまたは前記加工データに基づいて前記被験者の健康状態を検査する検査手段と、
前記検査の結果に基づき、前記被験者の健康管理に関する課題を解決するための少なくとも１つの解決策を作成する作成手段と、
前記被験者が前記解決策を選択する選択手段と、
を具備すること、を特徴とする健康管理システム。
【請求項２】
前記被験者が前記解決策を実行した成果を前記作成手段に伝達する伝達手段を具備し、
前記作成手段は、前記成果に基づいて前記解決策を作成すること、
を特徴とする請求項１記載の健康管理システム。
【請求項３】
前記作成手段は、前記成果が所定の段階に達するまで前記解決策を作成すること、
を特徴とする請求項２記載の健康管理システム。
【請求項４】
前記測定データまたは前記加工データを医療機関に転送するデータ転送手段を具備すること、を特徴とする請求項１〜３のうちのいずれかに記載の健康管理システム。
【請求項５】
前記解決策を前記被験者に転送する解決策転送手段を具備すること、を特徴とする請求項１〜４のうちのいずれかに記載の健康管理システム。
【請求項６】
前記測定手段が、前記被験者の複数のデータを測定すること、を特徴とする請求項１〜５のうちのいずれかに記載の健康管理システム。
【請求項７】
前記検査手段が、予め定められた基準値データを記憶する記憶部、ならびに前記基準値データと前記蓄積データまたは前記加工データとを比較する比較部を具備すること、を特徴とする請求項１〜６のうちのいずれかに記載の健康管理システム。
【請求項８】
前記作成手段が、前記被験者の生活の満足度を表すデータに基づいて前記解決策を作成すること、を特徴とする請求項１〜７のうちのいずれかに記載の健康管理システム。
【請求項９】
被験者の健康管理を行う健康管理機関と、前記被験者の健康に関するデータを測定する測定サイトと、を具備する健康管理システムであって、
前記測定サイトにおいて、前記被験者の健康に関するデータを前記測定する測定手段と、
前記測定サイトから前記健康管理機関に、前記測定手段によって得られた測定データを転送する測定データ転送手段と、
前記健康管理機関において、前記測定データ転送手段によって転送された前記測定データを蓄積する蓄積手段と、
前記健康管理機関において、前記蓄積手段に蓄積された前記測定データを加工し、加工データを得る加工手段と、
前記健康管理機関において前記測定データまたは前記加工データに基づいて前記被験者の健康状態を検査する検査手段と、
前記健康管理機関において、前記検査の結果に基づき、前記被験者の健康管理に関する課題を解決するための少なくとも１つの解決策を作成する作成手段と、
前記測定サイトから、前記被験者が前記解決策を選択する選択手段と、
を具備することを特徴とする健康管理システム。
【請求項１０】
前記健康管理機関は、前記検査の結果を健康関連事業機関に転送する検査結果転送手段を具備すること、を特徴とする請求項９記載の健康管理システム。
【請求項１１】
前記蓄積データまたは前記加工データを医療機関に転送するデータ転送手段を具備すること、を特徴とする請求項９または１０記載の健康管理システム。
【発明の詳細な説明】
【技術分野】
【０００１】  本発明は、被験者が病院などの医療機関において治療を受ける前の段階において、当該被験者の健康を管理するための健康管理システムに関する。
【背景技術】
【０００２】  高脂血症、高血圧、肥満および糖尿病などの生活習慣病を患いつつある人達は、完全には上記のような病気を患ってはいないものの、彼らの健康状態や症状は、日々の健康管理の在り方に左右されて良くもなったり悪くもなったりする。
従来から、このような人達の健康を管理するための技術としては、例えば特許文献１および特許文献２に記載されているような技術があった。【０００３】  図７は、特許文献１において提案されている健康情報サービスセンターを備えたネットワークシステムの概略構成図である。図７に示されているように、このネットワークシステムでは、顧客（被験者）６１が、自宅などで血液などの試料を採取できる検査キット６２を有しており、検査キット６２で採取した試料を健康情報サービスセンター６３を介して検査機関６４に送る。検査機関６４は送られた試料を分析評価し、その結果を評価データとして健康情報サービスセンター６３に送信する。そして、健康情報サービスセンター６３は、受け取った評価データを顧客データベース６６に格納するとともに、評価データのうちで顧客がさらに検査すべき評価項目がないかを判定手段６５により判定する。【０００４】  評価データ中に病院でさらに検査すべき評価項目がない場合は、評価通知手段６７により、顧客６１に対して評価データおよびその他の生活習慣に関する一般的なアドバイスを通知する。このとき、商品推薦手段６８から健康食品に関する案内情報も同時に通知する。
また、評価データ中に病院でさらに検査する評価項目がある場合には、顧客データベース６６に蓄積された顧客の評価データを病院などの医療機関に転送し、予約仲介手段６９により病院検査の予約を行う。【０００５】  つぎに、図８は、特許文献２において提案されているネットワークを用いた健康管理方法の構成を示すブロック図である。図８に示されているように、この健康管理方法では、インターネットなどのネットワークにより、個人（被験者）７１と検査機関７２と診断機関７３と健康管理センターである仲介機関７４のそれぞれの端末が接続され、仲介機関７４に提供された個人の健康管理状態情報７６に基づいて検査機関７２および診断機関７３で健康チェックおよびその分析が自動的に行われる。その分析の結果および助言などが健康管理データ７７として仲介機関７４に記録および表示され、個人７１がこれらの結果および助言を閲覧することができる。
【特許文献１】特開２００２−２５９５７１号公報
【特許文献２】特開２００２−７５６６号公報
【発明の開示】
【発明が解決しようとする課題】
【０００６】  しかしながら、特許文献１および２で提案されている従来の技術においては、健康情報サービスセンター６３や健康管理センター７４から顧客６１や個人７１に一方的にアドバイスが通知されるだけであり、当該アドバイスは生活習慣に対する一般的な内容でしかなく、顧客６１や個人７１それぞれの日常の行動、心情および嗜好などは考慮されていない。
顧客６１や個人７１は、上記アドバイスにしたがって行動すれば確かに生活習慣病などの予防を達成することができるかもしれないが、日常の行動、心情および嗜好などは考慮されていないことから、顧客６１や個人７１が上記のようなアドバイスどおりに行動することは困難であり、場合によっては不快感や苦痛を感じてしまい、生活習慣病などの予防の成功を妨げる要因となっている。【０００７】  そこで、本発明は、上記のような従来の問題を解決するためになされたものであり、顧客である被験者が、自らの日常の行動、心情、嗜好、突発的な事象および生活環境などを考慮した健康管理に関する的確なアドバイスを受けることができ、何ら不快感、支障や苦痛を感じることなく上記アドバイスどおりに自らの健康を容易かつ確実に管理することのできる健康管理システムを提供することを目的とする。
【課題を解決するための手段】
【０００８】  以上のような課題を解決すべく、本発明は、
被験者の健康に関するデータを測定する測定手段と、
前記測定手段によって得られた測定データを転送する測定データ転送手段（第１の転送手段）と、
前記測定データ転送手段によって転送された前記測定データを蓄積する蓄積手段と、
前記蓄積手段に蓄積された前記測定データを加工し、加工データを得る加工手段と、
前記測定データまたは前記加工データに基づいて前記被験者の健康状態を検査する検査手段と、
前記検査の結果に基づき、前記被験者の健康管理に関する課題を解決するための少なくとも１つ（好ましくは複数）の解決策を作成する作成手段と、
前記被験者が前記解決策を少なくとも１つ選択する選択手段と、
を具備すること、を特徴とする健康管理システムを提供する。【０００９】  このような構成により、被験者は、自己の健康状態の検査の結果に基づき、健康管理に関する課題を解決するための複数の解決策（以下、「プログラム」ともいう。）を得ることができ、そのなかから自分の納得できる解決策を選択することができる。そのため、被験者は、自らの日常の行動、心情、嗜好、突発的な事象および生活環境などを考慮した健康管理に関する的確なアドバイスを受けることができ、不快感や苦痛を感じることなく上記アドバイスどおりに自らの健康を管理することできる。【００１０】  また、本発明の健康管理システムは、前記被験者が前記解決策を実行した成果を前記作成手段に伝達する伝達手段を具備し、前記作成手段は、前記成果に基づいて前記解決策を作成することが好ましい。
このような構成により、被験者は、解決策を実行した成果を反映させた解決策を、再度選択することができ、自らの日常の行動、心情、嗜好、突発的な事象および生活環境などを考慮した健康管理に関する的確なアドバイスを受けることができ、不快感や苦痛を感じることなく上記アドバイスどおりに自らの健康を管理することできる。【００１１】  また、本発明の健康管理システムにおいて、前記作成手段は、前記成果が所定の段階に達するまで前記解決策を作成することが好ましい。
このような構成により、被験者は、自分の健康状態について納得できるまで前記作成手段から解決策の提供を受けることができる。【００１２】  さらに、本発明の健康管理システムは、前記測定データまたは前記加工データを医療機関に転送するデータ転送手段（第２の転送手段）を具備することが好ましい。
このような構成により、医療機関は、上記のような蓄積データまたは加工データの提供を受けることができる。【００１３】  また、本発明の健康管理システムは、前記解決策を前記被験者に転送する解決策転送手段（第３の転送手段）を具備することが好ましい。
このような構成により、被験者は上記のような解決策を容易かつ確実に受け取ることができる。【００１４】  また、本発明の健康管理システムにおいては、前記測定手段が、前記被験者の複数のデータを測定することが可能である構成を有するのが好ましい。
このような構成により、被験者は自己の健康状態をより反映して作成された健康管理のためのアドバイスを受けることができる。【００１５】  また、本発明の健康管理システムにおいては、前記検査手段が、予め定められた基準値データを記憶する記憶部、ならびに前記基準値データと前記蓄積データまたは前記加工データとを比較する比較部を具備することが好ましい。
このような構成により、蓄積データや加工データを、予め記憶された閾値などの基準値データと比較して検査することができ、被験者は自己の健康状態をより反映して作成された健康管理のためのアドバイスを受けることができる。【００１６】  また、本発明の健康管理システムにおいては、前記作成手段が、前記被験者の生活の満足度を表すデータに基づいて前記解決策を作成することが好ましい。上記「満足度を表すデータ」としては、例えばＱＯＬを数値化して得られるデータなどが挙げられる。
このような構成により、被験者は、自己の生活上の満足度を表すデータに基づいても、健康管理のためのアドバイスを受けることができる。【００１７】  さらに本発明は、
被験者の健康管理を行う健康管理機関と、前記被験者の健康に関するデータを測定する測定サイトと、を具備する健康管理システムであって、
前記測定サイトにおいて、前記被験者の健康に関するデータを前記測定する測定手段と、
前記測定サイトから前記健康管理機関に、前記測定手段によって得られた測定データを転送する測定データ転送手段と、
前記健康管理機関において、前記測定データ転送手段によって転送された前記測定データを蓄積する蓄積手段と、
前記健康管理機関において、前記蓄積手段に蓄積された前記測定データを加工し、加工データを得る加工手段と、
前記健康管理機関において前記測定データまたは前記加工データに基づいて前記被験者の健康状態を検査する検査手段と、
前記健康管理機関において、前記検査の結果に基づき、前記被験者の健康管理に関する課題を解決するための複数の解決策を作成する作成手段と、
前記測定サイトから、前記被験者が前記複数の前記解決策のうちの少なくとも１つを選択する選択手段と、
を具備することを特徴とする健康管理システムを提供する。【００１８】  このような構成により、被験者の健康状態の検査の結果得られた課題を解決するための解決策が、健康管理機関で被験者に応じて作成され、被験者は健康管理に関するアドバイスとして自分の納得できる解決策を選択することができる。【００１９】  また、本発明の健康管理システムにおいては、前記健康管理機関が、前記検査の結果を健康関連事業機関に転送する検査結果転送手段を具備することが好ましい。
このような構成により、被験者が解決策を実行する際に利用する薬局やトレーニングセンターなどの健康関連事業機関の情報が参考になる場合に、上記健康管理機関は、上記検査の結果を上記健康関連事業機関に提供することができる。そして、被験者は、上記健康関連事業機関において、上記解決策を適切に実行することができる。
【発明の効果】
【００２０】  以上のように、本発明の健康管理システムによれば、顧客である被験者が、自らの日常の行動、心情、嗜好、突発的な事象および生活環境などを考慮した健康管理に関する的確なアドバイスを受けることができ、何ら不快感、支障や苦痛を感じることなく上記アドバイスどおりに自らの健康を容易かつ確実に管理することができる。
【図面の簡単な説明】
【００２１】［図１］本発明の実施の形態１の健康管理システムの構成を示すブロック図である。
［図２］本発明の実施の形態１の健康管理システムにおける各ステップの説明のためのフロー図である。
［図３］本発明の実施の形態１の健康管理システムの被験者状況調査部１４での質疑応答の一例を示す図である。
［図４］本発明の実施の形態１の健康管理システムの被験者状況調査部１４でのＱＯＬを判断するための質疑応答の一例を示す図である。
［図５］本発明の他の実施の形態の健康管理システムの構成を示すブロック図である。
［図６］本発明における解決策データベース１７の一例を示す図である。
［図７］従来の健康管理システムの構成を示すブロック図である。
［図８］従来の他の健康管理システムの構成を示すブロック図である。
【発明を実施するための最良の形態】
【００２２】  以下、本発明の健康管理システムの実施の形態について、図面を用いて説明する。
［実施の形態１］
図１は、本発明の実施の形態１の健康管理システムの構成を示すブロック図である。図１に示すように、本実施の形態の健康管理システムにおいては、例えば糖尿病予備軍と言われる複数の被験者１は、いつでもどこでも血液を採取することのできる測定手段である血液採取チップ２と、血液採取チップ２で採取された血液の測定データを健康管理機関である健康管理センター４に転送することができる携帯電話などの携帯端末機３を有している。
すなわち、携帯端末機３は測定データ転送手段（第１の転送手段）としても機能する。【００２３】  健康管理センター４は、携帯端末機３から転送された血液の測定データを入出力部５を介して受信し、蓄積手段である蓄積データベース６に前記測定データを蓄積する。また、加工手段である演算加工部７は、蓄積データベース６の蓄積データを演算加工し、得られた加工データは加工データベース８に蓄積される。
そして、検査手段である検査部９が、蓄積データベース６に蓄積された測定データまたは加工データベース８に蓄積された加工データに基づいて、被験者１の健康状態（すなわち生活習慣病である糖尿病か否か、またはその疑いがあるか否かなど）を検査する。【００２４】  検査部９での検査の結果得られた糖尿病に関する課題を解決するための解決策は、作成手段である解決策提供部１０に送られ、解決策提供部１０において、被験者１の日常の行動、心情、嗜好、突発的な事象および生活環境などに応じて、かつ被験者１が選択できるように、複数の解決策が作成される。
また、健康管理センター４の入出力部５は、蓄積データベース６に蓄積された測定データまたは加工データベース８に蓄積された加工データを、外部転送部１１を介して外部の病院などの医療機関１２や、フィットネスセンターや薬局などの健康関連事業機関１３などに転送する転送手段（第２の転送手段）としての機能も有する。【００２５】  さらに入出力部５は、被験者１の普段の生活環境などについての被験者１からの情報や、健康管理センター４から提案された解決策などについての被験者１の意見を、被験者状況調査部１４に伝達する際のインターフェースの機能も有している。
すなわち、被験者状況調査部１４では、被験者１から、食事内容、運動内容、休養内容および環境内容などの生活習慣が聴取され、当該生活習慣に関する情報が蓄積される。なお、これら生活習慣の情報は、蓄積データベース６に蓄積された測定データと一体となって扱われることも必要であるため、蓄積データベース６に蓄積してもよい。【００２６】  また、健康管理センター４の検査部９は、血液の測定データから被験者１が糖尿病、高脂血症または肥満などの生活習慣病を患っているか否か、また患っている疑いがあるか否かを判断するため、記憶部である基準値データベース１５と比較部である比較検査部１６とを有している。
基準値データベース１５は、血液の測定データについて予め定められた閾値などの基準値データを蓄積しており、比較検査部１６は、上記基準値データと、蓄積データベース６に蓄積された測定データまたは加工データベース８に蓄積された加工データとを比較して、上記血液の測定データから、生活習慣病か否かまたはその疑いがあるか否かを検査する。【００２７】  また、健康管理センター４の解決策提供部１０は、解決策データベース１７と解決策作成部１８を有している。解決策データベース１７は、各生活習慣病に応じて血液の測定データに基づく一般的な解決策を蓄積している。解決策作成部１８は、検査部９の比較検査部１６によって、血液の測定データから例えば糖尿病の疑いがあると判断された場合に、蓄積データベース６、加工データベース８、被験者状況調査部１４および解決策データベース１７の内容に基づいて、被験者１のそれぞれの嗜好や生活環境に応じた解決策を作成する。【００２８】  解決策データベース１７には、例えば糖尿病に関して、多種多様のデータが蓄積されている。例えば、身長Ａで、体重Ｂの人が１日に摂取すべきエネルギー量、前記エネルギー量を摂取するための多数の一般的な献立およびそれらの食材、前記食材それぞれのエネルギー量、運動の種類、前記運動に必要な器具、前記運動によるエネルギー消費量、睡眠および旅行などの休養の種類、ならびに前記休養によるエネルギー消費量などの多種多様のデータが蓄積されている。
さらには、各種演算のための式データや、被験者１に対して提案すべき課題解決策を作成する文例および語彙、ならびに前記解決策について被験者１に意見を求めるための多数の質問項目などのデータが蓄積されている。【００２９】  なお、健康管理センター４は、被験者１に対して解決策としての各種のプログラムを提案するため、管理栄養士、栄養士、糖尿病療養指導士、保健士、看護士、運動トレーナーおよび理学療養指導士などの、各分野における専門家を配置しておくのが好ましく、当然のことながら、被験者１に解決策を指導するために医師が存在していることが好ましい。
以上のように構成された本実施の形態の健康管理システムにおける各ステップの流れについて、図２に示すフローチャートを用いて説明する。【００３０】  被験者１は、自分の好きな時間に好きな場所で、血液採取チップ２で指先から血液を採取し（Ｓ１）、血液を採取した血液採取チップ２を携帯端末機３に装着しデータの測定を行う。そして、携帯端末機３の転送ボタンを押し、血液の測定データを健康管理センター４の入出力部５に転送する（Ｓ２）。
血液採取チップ２として糖尿病検査用のチップを使用するとき、要管理者の場合には、転送される血液の測定データは、血糖値およびヘモグロビンＡ１ｃ（ＨＡ１ｃ）値のみでよい。例えば被験者１が初めての診断を受ける場合などは、上記の値のみに限らず、肝疾患の予防のためのＧＯＴ値、ＧＰＴ値およびγ−ＧＴＰ値、高脂血症の予防のための総コレステロール値、ならびに赤血球数および白血球数などを測定して、これらを測定データとして入出力部５に転送してもよい。また、血液採取チップ２とは別に、検尿チップを用いて、淡白定性や糖定性などの尿の一般的な測定データを転送してもよい。【００３１】  健康管理センター４の入出力部５に転送された測定データは、健康管理センター４の蓄積データベース６において、被験者１毎に、血液採取日、被験者１の生年月日、身長ぽよび体重などの基礎データとともに蓄積される（Ｓ３）。
そして、転送された測定データのそれぞれが、基準値データベース１５に含まれる閾値に基づいて比較検査部１６で比較され（Ｓ４）、測定データに異常があるか否かが検査される（Ｓ５）。【００３２】  例えば、年齢が５０歳、身長が１６８ｃｍ、体重が６０ｋｇ、血糖値が１２３、ＨＡ１ｃ値が５．２である日本人被験者１の場合、例えば、日本における正常域である血糖値の閾値の範囲が一般的に７０から１０９であり、ＨＡ１ｃ値の閾値の範囲が一般的に４．３から５．８であるとすると、被験者１の血糖値もＨＡ１ｃ値も上記閾値の範囲内にある。
そのため、この場合は異常なし（Ｎ）と判断され、つぎの測定データの蓄積および比較に続く（Ｓ３）。【００３３】  一方、例えば血糖値が１０８で閾値の７０から１０９の範囲内であるが、ＨＡ１ｃ値が６．０で閾値の４．３から５．８の範囲外であるとすれば、医師などを含む健康管理センター４は、被験者１が要管理者（Ｙ）であると判断する。なお、要管理者（境界域）か、正常域か、地領域かの判断基準は、健康管理センターによって定め、判定基準値は、予めデータベースに登録しておけばよい。
被験者１が要管理者と判断されると、被験者１の過去の測定データがあるか否かを蓄積データベース６を検索して調べる（Ｓ６）。過去の測定データがある場合（Ｙ）は、その測定データを抽出する（Ｓ７）。【００３４】  つぎに、被験者状況調査部１４によって得られた被験者１の生活習慣、生活環境および嗜好などの被験者状況が登録されているか否かを検索する（Ｓ８）。生活環境や嗜好が登録されている場合（Ｙ）には、被験者状況のデータを抽出し（Ｓ９）、血液の測定データ、過去のデータ、および生活環境や嗜好のデータに基づいて、糖尿病に関する現在までの科学的根拠に基づく解決策データを蓄積した解決策データベース１７を参酌し、被験者１に対する独自の解決策を複数個作成する。
そして、作成した複数個の解決策を入出力部５を介して被験者１に転送して提供し、被験者１に選択させるとともに、蓄積データベース６に被験者１の情報として蓄積する（Ｓ１０）。【００３５】  なお、Ｓ６で過去のデータが蓄積データベース６に無い場合（Ｎ）や、Ｓ８で被験者１の生活習慣、生活環境および嗜好が登録されていない場合（Ｎ）には、得られた測定データに解決策データベース１５の一般的なデータを参酌して被験者１に対する独自の解決策を複数個作成する。
そして、作成した複数個の解決策を入出力部５を介して被験者１に転送して提供し、被験者１に選択させるとともに、蓄積データベース６に被験者の１の情報として蓄積する（Ｓ１０）。【００３６】  解決策の提供に際しては、基本的に、身長および体重などの基礎データ、携帯端末機３から転送されたデータ、被験者１の運動に関するデータ、ならびに食事に関するデータなどが用いられる。これらのデータと、必要な治療の段階、要管理者の段階および健常者の段階に応じた、現在までの科学的根拠に基づく解決策が作成されて提供される。
例えば、蓄積データベース６を検索した結果、過去のデータとして徐々にＨＡ１ｃ値が下がってきているデータが蓄積されており、被験者状況調査部１４の検索の結果として、食生活は油物や肉類を極力食べていない、軽い運動は苦にならない、というデータがある場合を想定する。【００３７】  この場合、例えば糖尿病予備軍の場合は、解決策データベース１７の中から、「今日の夕食の献立は、ａ：ドリアと食後３０分のランニング、ｂ：オムライス、ｃ：寄せ鍋、ｄ：鮭弁当、ｅ：ビールと並にぎり、のいずれかから選んでみてはどうでしょうか？これらのエネルギー量は、６００〜８００ｋｃａｌです。」などのように、被験者１の現在の食生活、生活習慣および生活環境を考慮した、選択可能ないくつかの解決策としてのプログラムを作成し、被験者１に、携帯電話やＰＣ（パーソナルコンピュータ）を利用して提供する。被検査者１は、そのなかから、例えば「ａ：ドリアと食後３０分のランニング」を選択することができる。【００３８】  その後、被験者状況調査部１４は、被験者１が自ら選択して実行した解決策としてのプログラムに対する意見を、解決策データベース１７のなかから選んだ語彙や文章を使って、携帯電話やＰＣを使ったメールやファックスにより、入出力部５を介して被験者１に問い合わせる（Ｓ１１）。【００３９】  このようなＳ１１の意見聴取に際しては、その結果に基づいて、被験者１が実行し易いプログラムを作成して提供できるような質疑応答形式とするのが好ましい。
例えば、プログラムの内容が被験者１にとって実行可能性および実行容易性、実行不可能であった場合に問題点はどこにあったか（食事の献立、材料、運動の過負荷、運動内容などに問題があったのか？）、ならびに糖尿病の予防のための解決策として希望はないかなど、プログラムに対する被験者１本人の意見を、携帯端末機３を介して質疑応答をすることにより聴取し判断する。この質疑応答は、問診形式のように、ある一定時間をかけて行うのが好ましい。【００４０】  すなわち、解決策作成部１８が解決策データベース１７内のデータを検索して、被験者１への質問を作成し、これに対する被験者１からの回答内容に応じて、再び、解決策作成部１８が解決策データベース１７の中のデータを検索して質問を作成し、被験者１に送る。
このようなステップを質問ごとに繰り返していくことにより、短時間で被験者１の実情に応じた新しいプログラムを容易かつ確実に作成することができる。【００４１】  ここで、図３に、例えば糖尿病予備軍の被験者１に対する質疑応答の内容の一構成例を示す。
図３に示すように、質問は、「解決策をどの程度実行できたか」、実行できた程度が５０％以下なら、「実行できなかった理由は何か」、「食生活の改善は可能か」、「酒の量はどの程度減らせるか」、「食後の運動に費やせる時間はどの程度か」、「犠牲にできないものは何か」など、択一式を含む対話形式で行う。【００４２】  被験者１は、それぞれの質問に対して、実行できた程度が２５％なら「３０％」を選択するとともに、「食後の運動は無理」、食生活の改善は「少しは可能」、「酒は少し減らせる」、食後の運動に費やせる時間は「２０分」などを選択し、犠牲にできないものとして「毎日の３５０ｍＬのビール」を入力する。
携帯電話やＰＣを用いる場合にはキー入力で、ファックスを用いる場合には書面で回答することも可能である。【００４３】  質疑応答の判断の結果、被験者１に意見があった場合は（Ｓ１１のＹ）、質疑応答の内容を反映して、再度、複数個のプログラムを作成して被験者１に提供し、被験者１に選択させて蓄積し（Ｓ１０）、被験者１が納得して実行できると判断するまで、この質疑応答のステップを繰り返してもよい。
しかも、Ｓ１０とＳ１１の繰り返しは、解決策作成部１８から一旦提供された、被験者１が実行できると判断した解決策を、何らかの事情や意思によって実行できなかった場合に行うのも好ましい。これにより、日々の健康管理において、状況が変化すれば、被験者１はその都度その状況を健康管理センター４に伝え、適切なプログラムが得られる。【００４４】  例えば、急に来客があって食事の接待を行ったために解決策として提供された食事メニューを摂取できなかった場合や、急の出張のためプログラムで提供された運動を実行できなかったという場合のように、何らかの事情により所定のプログラムを実行できないことはよくあることであると考えられる。
そのため、本実施の形態においては、被験者１は例えば携帯端末機３を使用して、プログラムを実行できなかった状況を、その度ごとに、血液の測定データとともに健康管理センター４に報告する。例えば、カメラ付の携帯端末機３を用いて接待時の食事を映して健康管理センター４に送信したり、出張先のホテルでは外部で運動するのが困難であったために「部屋で腕立て伏せを１０回した」などを健康管理センター４にメールで送信したりしてもよい。【００４５】  健康管理センター４は、送られてきた血液測定データを検査する一方、食事の写真や運動の状況から判断して、既に提供しているプログラムを必要に応じて部分的に修正を加え、図２に示すフローにしたがって新たなプログラムを作成および提供する。
なお、Ｓ１１における判断の結果、健康管理センター４から提供されたプログラムに対して被験者１に意見がなければ（Ｓ１１のＮ）、その後のこの種の質疑応答は省略すればよい。【００４６】  ところで、被験者１のプログラムに対する満足度は、人間の心の満足度を数値化したＱＯＬ（Ｑｕａｌｉｔｙ  Ｏｆ  Ｌｉｆｅ）として、今日、一般に知られ始めてきた手法を用いて判断することができる。
したがって、Ｓ１１で、被験者１が実行できるプログラムであると判断してしばらく実行しても、１ヶ月、六ヶ月または１年の期間で実際に経験することにより、やはり心から満足できないと判断する場合もある。このような状況にも対応できるように、本実施の形態では、Ｓ１１の後に、心の満足度を被験者１に問い合わせる（Ｓ１２）。【００４７】  ＱＯＬ（心の満足度）の評価は、一般に質問形式で行われることが知られているが、その質問形式の一例を、図４に示す。図４は、「福原俊一、鈴鴨よしみ、ＳＦ−３６ｖ２日本語マニュアル：ＮＰＯ  健康医療評価研究機構、京都、２００４」の質問内容の一部抜粋を示すものである。
図４に示すように、上記ＱＯＬの評価においては、被験者１に対して本人の健康についての質問を行う。実際には、このような質問を含むさらに多くの質問が、アンケートで行われる。
なお、上記ＳＦ−３６においては、問診表のフォーマット、質問内容およびアンケート結果について、疫学的評価がなされている。【００４８】  このような質問を様々なカテゴリーで行うことにより、プログラムに対する被験者１の心の満足度を定性的でなく数値で定量的に評価することができる。なお、心の満足度に関する判断は、例えば年１回の健康診断の時に併せて行ってもよい。
また、上記のような質問によって被験者１が適切な満足度に達しなかった場合（Ｓ１２のＮ）、再度、Ｓ１０からのステップを繰り返して、被験者１が取組むことのできるプログラムの作成および提供を、被験者１の納得が得られるまで行うのが好ましい。一方、被験者１の心の満足度が得られれば（Ｓ１２のＹ）、そこでプログラムの作成および提供を終了すればよい。【００４９】  ただし、前述したように、突発の事象などで、何らかの都合で被験者１が提供され選択したプログラムを実行できなかった場合には、被験者１は自ら血液採取チップ２を用いて血液の測定データを健康管理センター４に転送し、Ｓ１からのステップを繰り返せばよい。
このように、質疑応答を繰り返して被験者１が納得できるまで選択可能なようにプログラムを提供することは、従来のように、「これまでの食生活を続けるとともに、食後に少し汗をかくくらいの運動をして下さい。」、「食事のカロリーを×××キロカロリーに減らしなさい。」、および「食事の献立は○○○と△△△・・・にしなさい。」などのように、各生活習慣病に対応する血液データに基づく一般的な一つの解決策を一方的に被験者１に提供するものとは異なる。したがって、被験者１は自らの生活習慣や生活環境に合わせて、実行しやすいプログラムを自分の意思で選ぶことができる。【００５０】  もちろん、本実施の形態の蓄積データベース６には、従来からの一般的なプログラムの表現を蓄積することも可能であるが、被験者１にはそのまま提供することはなく、あくまでも図２に示すフローにしたがって、被験者１の日常の行動、心情、嗜好、突発的な事象および生活環境などを考慮して作成されたプログラムが提供される。【００５１】  ところで、糖尿病を改善するためのプログラムの作成に際し、運動や休養の観点から、他の健康関連事業者の情報提供が必要な場合には、被験者１の各種データを、被験者１の了解を得て、他の健康関連事業者に提供してもよい。これにより、例えば糖尿病の改善のための情報（例えば運動器具情報、低カロリー食材情報、献立情報および温泉情報など）を、健康関連事業者から被験者１に提供させることが可能である。また、健康管理センター４が自らこれら健康関連事業者から情報を入手し、被験者１に対して作成および提供するプログラムに当該情報を反映させることも可能である。【００５２】  他の健康関連事業者としては、例えば運動を提供するフィットネスクラブおよびカルチャースクール、家庭での運動を推進するための運動器具メーカーおよびスポーツ用品メーカー、サプリメントおよび健康食品を提供する食品業者、糖尿病の食事に合わせた食材を提供できる食材宅配業者および弁当宅配業者、休養を提供する温泉協会および旅行代理店、ならびにそのための旅行業者などが挙げられる。【００５３】  以上のように、本実施の形態によれば、多くの種類のデータベースを有する解決策データベース１７に基づいて解決策作成部１８で作成される複数個のプログラムから、被験者１が所望するプログラムを主体的に選択することができる。
しかも、選択したプログラムを実行できるものであると被験者１が確信を持てるようになるまで、被験者状況調査部１４と被験者１との間で質疑応答が繰り返し行われ、また、選択したプログラムが被験者１の心の満足度を向上させるものである。そのため、従来とは異なり、本実施の形態によって提供されるプログラムは一般的なものでも一方的なものでもなく、被験者１は例えば糖尿病予防のためのプログラムを、自ら選択して苦にすることなく実行することができ、糖尿病予防の達成が容易に可能となる。【００５４】  また、選択したプログラムを実行できなかったとしても、即座に新しいプログラムの提供を受けることができる。すなわち、被験者１は自分の健康管理を健康管理センター４に全面的に安心して委ねることができる。
なお、被験者１の満足するプログラムを提供することができても、海外転勤や不慮の事故などにより、被験者１がどうしても実行できない場合もある。また、被験者１は解決策を実行しているつもりでもそれが十分でない場合もあり得る。このような場合には、血液の測定データを改善することができずに悪化することも考えられるが、測定データが閾値を超えて医者による治療の必要な範囲に及んだならば、健康管理センター４は、入出力部５および携帯端末機３を介して、被験者１のデータが要治療範囲になった事実や適切な病院１２の紹介を被験者１に通知することができる。【００５５】  測定データが閾値を超えて医者による治療の必要な範囲に及んだ場合、健康管理センター４の蓄積データベース６に蓄積されたその被験者１の過去のデータは、被験者１に紹介した病院としての医療機関１２に入出力部５を介して外部転送部（第２の転送手段）１１から転送してもよい。
このような構成によれば、被験者１は紹介された病院に出向いても新たに検査をすることなく、専門的に医者の治療を即座に受けることができる。【００５６】  また、被験者１が医者による治療を受けるまでもなく、補助薬で治癒すると健康管理センター４で考えられる場合は、その情報を被験者１に伝えるとともに、適切な補助薬を購入できる健康関連事業機関１３としての薬局の情報も知らせ、薬局にはその被験者１の処方箋も転送することができる。【００５７】  なお、以上の実施の形態では、解決策作成部１８でプログラムを作成するのに、蓄積データベース６の血液の測定データのみを利用したが、必要に応じて、この測定データを演算加工部７で加工して加工データベース８に蓄積し、得られた加工データをも用いてプログラムを作成して提供することもできる。
例えば、加工データベース８に、当該被験者１の血液の測定データ全てについて毎年の平均値を演算して蓄積しておけば、被験者１の血糖値の過去１年間の平均値を考慮する必要がある場合には、加工データベース８の加工データを考慮してプログラムを作成することができる。【００５８】  また、糖尿病予備軍の被験者１全員の血液の測定データを、年齢、性別および生活習慣などの条件に基づいて、演算加工部７で演算、加工および分析し、得られた加工データを加工データベース８に蓄積しておくことも可能である。
これにより、外部の医療機関である病院１２にその加工データを一般データとして提供し、例えば糖尿病などの日本人の生活習慣病予備軍の傾向を分析し予防対策をするのに役立てることができる。【００５９】  ところで、上記実施の形態では、健康管理センター４が被験者１の健康管理の代行をするような機能を有しており、この代行機関が被験者を数多く集めることによって、いろんな生活習慣病についての多くのデータを１ヶ所に集中することができ、その結果これら生活習慣病の分析データも多く得られ、生活習慣病に対する有効な治療や予防の方法も見出せる可能性がある。
また、測定手段として、血液採取チップ２以外に、血圧計、歩数計および脈派計などを用いることができる。また、測定データ転送手段としては、携帯端末機３以外に、ＰＣ、ＰＤＡ（情報携帯端末）およびファックスなどが利用することができる。ただし、測定手段と測定データ転送手段とは、非接触でデータの相互に伝送できる構成を有するのが好ましい。【００６０】  さらに、各種データの転送、プログラムの提供および被験者１の状況調査などの、健康管理機関と測定データ転送手段との伝達は、例えば通信キャリアやインターネットを利用して実現することができる。
なお、本実施の形態では、糖尿病予備軍である被験者１の血液のデータを測定する場合について説明したが、例えば骨粗鬆症の予防が必要な被験者の場合にも適用することができる。骨粗鬆症の場合には、腕の周囲の長さや体重などを測定データとして用いることによって、同様に被験者１が選択できる複数のプログラムを作成および提供することができる。【００６１】  ［実施の形態２］
図５は、本発明の実施の形態２の健康管理システムの構成を示すブロック図である。図１と同じ構成要素には同一番号を付し、その説明を省略する。
図５に示すように、本実施の形態の健康管理システムは、医療支援部門、健康増進エージェントおよび要管理者支援部門が連携して、被験者１の健康管理を実現するものである。【００６２】  健康管理センター４の日常健康データベース５１は、上記実施の形態１における蓄積データベース６、加工データベース８および解決策データベース１７を含み、ここに被験者１の各種データが蓄積されている。
病院や診療所などの医療機関１２の医療データベース５２には、医療機関１２が採取した生活習慣病患者５３のデータが蓄積されており、健康関連事業機関１３の健診データベース５４には、健康関連事業機関１３が定期的な健康診断で測定した生活習慣病の要管理者５５のデータが蓄積されている。
なお、本実施の形態は、健康関連事業機関１３が保険者５６からなる健康保険組合であるとして説明する。【００６３】  このような本発明の健康管理システムにおいては、健康管理センター４は被験者１から日常の健康管理サービスを委託され、被験者１は、上記実施の形態１で説明したように、日々の健康管理に関するデータに基づく、被験者１が選択可能で満足できるきめ細かな生活習慣病の改善サービス（解決策としてのプログラムの一種）５７の提供を受けることができる。
そして、被験者１はそのような改善サービス５７の提供に対して対価５８を支払うことになる。また、これによって、健康管理センター４は各種生活習慣病に関する多くのデータを蓄積することができる。【００６４】  また、健康管理センター４は、医療機関１２からの依頼を受けて、医者による治療が必要な生活習慣病患者５３に対する療養計画書などの療養に関する支援５９を行うとともに、生活習慣病患者５３に対して、上記実施の形態１で説明したように、日々の生活習慣データに基いて、生活習慣病患者５３が選択可能で満足できるきめ細かな療養のためのプログラムに関する指導サービス（解決策としてのプログラム）６０の提供を行うことができる。
この場合、医療機関１２は、療養計画書などの療養に関する医療機関１２への支援５９および生活習慣病患者５３に対する療養に関するサービス提供６０に関して、健康管理センター４に対して対価６１を支払い、生活習慣病患者５３は医療機関１２に治療費６２を支払うことになる。
また、これによって、健康管理センター４は、医療機関１２が独自で行った生活習慣病患者５３の医療データ６３や、健康管理センター４が行った生活習慣に関する多くのデータ６４を蓄積することができる。【００６５】  さらに、健康管理センター４は、保険者５６から依頼を受けて、被保険者である要管理者５５に対して、上記実施の形態１で説明したように、日々の生活習慣データに基いて、要管理者５５が選択可能で満足できるきめ細かな生活習慣病改善に関する指導サービス６５の提供を行うことができる。これに加えて、要管理者５５への指導サービス６５の結果のフィードバック６６を保険者５６に対して行う。
この場合、健康関連事業機関１３は、要管理者５５に対する生活習慣病改善に関する指導サービス６５の提供と、この結果のフィードバック６６に関して、健康管理センター４に対して対価６７を支払い、一方、要管理者５５は保険者５６にこの指導サービス６５に対する対価を含む保険料６８を支払うことになる。
また、これによっても、健康管理センター４は、健康関連事業機関１３が法律で実施を義務付けられている、独自で行った要管理者５５の定期的な健診データ６９や、健康管理センター４が行った生活習慣に関する多くのデータ７０を蓄積することができる。【００６６】  さらにまた、健康管理センター４は、このような被験者１や生活習慣病患者５３、要管理者５５に対するデータに基づいた選択可能できめ細かな生活習慣病改善に関するサービス提供のノウハウを対価を得て他地域に展開することにより、他地域の生活習慣病の改善を図ることができる。
健康管理センター４が電気会社などと提携して血液採取チップ２や携帯端末機３の製造を委託し、健康管理センター４自らが中心となって被験者１や生活習慣病患者５３や要管理者５５の多くの人にこれら機器を販売することにより、被験者１などもこれら機器の安定購入や製造業者の安定販売を実現することも可能である。【００６７】  以上のように、本実施の形態の健康管理システムによれば、ＰＣ、携帯電話およびインターネットなどを利用して、被験者１という個人に対して、満足できる健康管理の解決策を選択できる状態で自ら提供できるだけでなく、生活習慣病患者５３や要管理者５５に対しても満足できる健康管理の解決策を提供でき、また医療機関１２や健康関連事業機関１３に対しては、それぞれが生活習慣病患者や要管理者に対するサービスを行う専門家を多く抱えることないように、自ら療養計画書の作成、指導などで支援するとともに、専門家の育成、派遣、測定データの蓄積および分析などの支援も行うことができる。【００６８】  さらに、その結果、日常健康データベース５１には非常に多くのデータが集まり、それを加工することにより、各種生活習慣病についての傾向をきめ細かく分析できるデータを医療機関１２や健康関連事業機関１３へ提供でき、さらなる社会の生活習慣病の改善に役立てることができる。
すなわち、健康管理センター４は、本発明を適用することにより、医療機関１２や健康関連事業機関１３に対して、生活習慣病指導や要管理者指導のフォローアップのように、医療支援や要管理者支援といったサービス提供の機能を有するとともに、測定データの蓄積、分析、生活習慣病の研究支援、専門家のＩＴによる育成、派遣のための管理といったエージェントのような機能も有して、広く社会の生活習慣病改善に貢献することができる。【００６９】  上述した本発明の実施の形態では、外部機関として医療機関１２や健康関連事業機関１３を例に説明したが、その他に、フィットネスクラブ、食事宅配業者および保険会社などと連携して、体力づくりのプログラムを提案したり、解決策で提案した食事プログラムを宅配させたり、病状に応じた保険の勧誘などを可能にする態様にも展開することが可能である。【００７０】  また、上記実施の形態１における解決策作成部１８によって作成される解決策としてのプログラムは、上述したように作成することができるが、例えば以下のような手順によっても作成することができる。【００７１】（１）被験者１のＩＤを入力して、蓄積データベース６を検索し、氏名、性別、年齢、体重および身長を表示し、本人確認を行う。
（２）被験者１の生活習慣、運動習慣およびＱＯＬを被験者状況調査部１４から取り込む。
（３）被験者１の嗜好、制約、健康に関する志向および願望を被験者状況調査部１４から取り込む。
（４）取り込んだデータから、解決策データベース１７を検索して、運動メニューおよび栄養メニューの行動目標データを検索して抽出する。この行動目標データはメタデータ（数値が変数のままである行動目標）であってよい。したがってこの場合、解決策データベース１７には予め運動メニューおよび栄養メニューの行動目標データが蓄積されている。
（５）抽出された行動目標データのうち、メタ分析に基づく解決策（プログラム）の作成方針に該当しないデータを削除する。
（６）残りのデータのうち、被験者１に勧めるプログラムを作成するために、被験者１の蓄積データから、性別、年齢、体重および身長などからプログラムの内容を決定する。
（７）作成したプログラムを入出力部５により被験者１に提供する。【００７２】  ここで、メタデータとは、氏名、性別、年齢、体重および身長などの被験者１の属性に対して、被験者１の生活習慣、運動習慣およびＱＯＬの結果と、被験者１の嗜好、制約、健康に関する志向および願望の結果（行動目標）と、解決手段（行動目標）とを、構成要素として配列して構成するデータのことをいう。また、当業者が適宜選択した構成要素がさらに含まれていてもよい。
また、メタ分析とは、メタデータの構成要素と解決手段との組合せから、解決手段の選択に際しての行動目標の選択や、選択後の健康管理の評価をすることをいう【００７３】上記のようなプログラム作成において用いられる解決データベース１７の一例を図６に示した。図６に示すように、この解決策データベース１７は、目標分類、評価目標設定値、行動分類、行動目標、目標設定定量化ノウハウなどからなる。被験者１のメタデータ配列には、目標設定の結果データも含まれていてもよい。
このような解決策データベース１７を用いることにより、メタデータの一部を入力することで、関連するデータを抽出することができる。また、解決策データベースのデータが増加し、披検者データが蓄積されていくことで、メタデータの組み合わせが増加し、行動目標の選択に際して、過去のデータの参照が容易になる。
【産業上の利用可能性】
【００７４】  以上のように、本発明の健康管理システムによれば、顧客である被験者が、日常の行動、心情、嗜好、突発的な事象および生活環境などを考慮した健康管理に関するアドバイスを受けることができ、何ら不快感、支障や苦痛を感じることなく上記アドバイスどおりに自らの健康を管理することができる。そのため、本発明は健康管理システムとして有用である。
【図１】
2005091195.tif 000003
【図２】
2005091195.tif 000004
【図３】
2005091195.tif 000005
【図４】
2005091195.tif 000006
【図５】
2005091195.tif 000007
【図６】
2005091195.tif 000008
【図７】
2005091195.tif 000009
【図８】
2005091195.tif 000010
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
被験者の健康に関するデータを測定する測定手段と、
前記測定手段によって得られた測定データを転送する測定データ転送手段と、
前記測定データ転送手段によって転送された前記測定データを蓄積する蓄積手段と、
前記蓄積手段に蓄積された前記測定データを加工し、加工データを得る加工手段と、
前記測定データまたは前記加工データに基づいて前記被験者の健康状態を検査する検査手段と、
前記検査の結果に基づき、前記被験者の健康管理に関する課題を解決するための少なくとも１つの解決策を作成する作成手段と、
前記被験者が前記解決策を選択する選択手段と、を具備すること、
を特徴とする健康管理システム。
【請求項２】
前記被験者が前記解決策を実行した成果を前記作成手段に伝達する伝達手段を具備し、
前記作成手段は、前記成果に基づいて前記解決策を作成すること、
を特徴とする請求項１記載の健康管理システム。
【請求項３】
前記作成手段は、前記成果が所定の段階に達するまで前記解決策を作成すること、を特徴とする請求項２記載の健康管理システム。
【請求項４】
前記測定データまたは前記加工データを医療機関に転送するデータ転送手段を具備すること、を特徴とする請求項１〜３のうちのいずれかに記載の健康管理システム。
【請求項５】
前記解決策を前記被験者に転送する解決策転送手段を具備すること、を特徴とする請求項１〜４のうちのいずれかに記載の健康管理システム。
【請求項６】
前記測定手段が、前記被験者の複数のデータを測定すること、を特徴とする請求項１〜５のうちのいずれかに記載の健康管理システム。
【請求項７】
前記検査手段が、予め定められた基準値データを記憶する記憶部、ならびに前記基準値データと前記蓄積データまたは前記加工データとを比較する比較部を具備すること、を特徴とする請求項１〜６のうちのいずれかに記載の健康管理システム。
【請求項８】
前記作成手段が、前記被験者の生活の満足度を表すデータに基づいて前記解決策を作成すること、を特徴とする請求項１〜７のうちのいずれかに記載の健康管理システム。
【請求項９】
被験者の健康管理を行う健康管理機関と、前記被験者の健康に関するデータを測定する測定サイトと、を具備する健康管理システムであって、
前記測定サイトにおいて、前記被験者の健康に関するデータを前記測定する測定手段と、
前記測定サイトから前記健康管理機関に、前記測定手段によって得られた測定データを転送する測定データ転送手段と、
前記健康管理機関において、前記測定データ転送手段によって転送された前記測定データを蓄積する蓄積手段と、
前記健康管理機関において、前記蓄積手段に蓄積された前記測定データを加工し、加工データを得る加工手段と、
前記健康管理機関において前記測定データまたは前記加工データに基づいて前記被験者の健康状態を検査する検査手段と、
前記健康管理機関において、前記検査の結果に基づき、前記被験者の健康管理に関する課題を解決するための少なくとも１つの解決策を作成する作成手段と、
前記測定サイトから、前記被験者が前記解決策を選択する選択手段と、を具備すること
を特徴とする健康管理システム。
【請求項１０】
前記健康管理機関は、前記検査の結果を健康関連事業機関に転送する検査結果転送手段を具備すること、を特徴とする請求項９記載の健康管理システム。
【請求項１１】
前記蓄積データまたは前記加工データを医療機関に転送するデータ転送手段を具備すること、を特徴とする請求項９または１０記載の健康管理システム。
【手続補正２】
【補正対象書類名】明細書
【補正対象項目名】全文
【補正方法】変更
【補正の内容】
【書類名】明細書
【発明の名称】  健康管理システム
【技術分野】
【０００１】
本発明は、被験者が病院などの医療機関において治療を受ける前の段階において、当該被験者の健康を管理するための健康管理システムに関する。
【背景技術】
【０００２】
高脂血症、高血圧、肥満および糖尿病などの生活習慣病を患いつつある人達は、完全には上記のような病気を患ってはいないものの、彼らの健康状態や症状は、日々の健康管理の在り方に左右されて良くもなったり悪くもなったりする。
従来から、このような人達の健康を管理するための技術としては、例えば特許文献１および特許文献２に記載されているような技術があった。
【０００３】
図７は、特許文献１において提案されている健康情報サービスセンターを備えたネットワークシステムの概略構成図である。図７に示されているように、このネットワークシステムでは、顧客（被験者）６１が、自宅などで血液などの試料を採取できる検査キット６２を有しており、検査キット６２で採取した試料を健康情報サービスセンター６３を介して検査機関６４に送る。検査機関６４は送られた試料を分析評価し、その結果を評価データとして健康情報サービスセンター６３に送信する。そして、健康情報サービスセンター６３は、受け取った評価データを顧客データベース６６に格納するとともに、評価データのうちで顧客がさらに検査すべき評価項目がないかを判定手段６５により判定する。
【０００４】
評価データ中に病院でさらに検査すべき評価項目がない場合は、評価通知手段６７により、顧客６１に対して評価データおよびその他の生活習慣に関する一般的なアドバイスを通知する。このとき、商品推薦手段６８から健康食品に関する案内情報も同時に通知する。
また、評価データ中に病院でさらに検査する評価項目がある場合には、顧客データベース６６に蓄積された顧客の評価データを病院などの医療機関に転送し、予約仲介手段６９により病院検査の予約を行う。
【０００５】
つぎに、図８は、特許文献２において提案されているネットワークを用いた健康管理方法の構成を示すブロック図である。図８に示されているように、この健康管理方法では、インターネットなどのネットワークにより、個人（被験者）７１と検査機関７２と診断機関７３と健康管理センターである仲介機関７４のそれぞれの端末が接続され、仲介機関７４に提供された個人の健康管理状態情報７６に基づいて検査機関７２および診断機関７３で健康チェックおよびその分析が自動的に行われる。その分析の結果および助言などが健康管理データ７７として仲介機関７４に記録および表示され、個人７１がこれらの結果および助言を閲覧することができる。
【特許文献１】特開２００２−２５９５７１号公報
【特許文献２】特開２００２−７５６６号公報
【発明の開示】
【発明が解決しようとする課題】
【０００６】
しかしながら、特許文献１および２で提案されている従来の技術においては、健康情報サービスセンター６３や健康管理センター７４から顧客６１や個人７１に一方的にアドバイスが通知されるだけであり、当該アドバイスは生活習慣に対する一般的な内容でしかなく、顧客６１や個人７１それぞれの日常の行動、心情および嗜好などは考慮されていない。
顧客６１や個人７１は、上記アドバイスにしたがって行動すれば確かに生活習慣病などの予防を達成することができるかもしれないが、日常の行動、心情および嗜好などは考慮されていないことから、顧客６１や個人７１が上記のようなアドバイスどおりに行動することは困難であり、場合によっては不快感や苦痛を感じてしまい、生活習慣病などの予防の成功を妨げる要因となっている。
【０００７】
そこで、本発明は、上記のような従来の問題を解決するためになされたものであり、顧客である被験者が、自らの日常の行動、心情、嗜好、突発的な事象および生活環境などを考慮した健康管理に関する的確なアドバイスを受けることができ、何ら不快感、支障や苦痛を感じることなく上記アドバイスどおりに自らの健康を容易かつ確実に管理することのできる健康管理システムを提供することを目的とする。
【課題を解決するための手段】
【０００８】
以上のような課題を解決すべく、本発明は、
被験者の健康に関するデータを測定する測定手段と、
前記測定手段によって得られた測定データを転送する測定データ転送手段（第１の転送手段）と、
前記測定データ転送手段によって転送された前記測定データを蓄積する蓄積手段と、
前記蓄積手段に蓄積された前記測定データを加工し、加工データを得る加工手段と、
前記測定データまたは前記加工データに基づいて前記被験者の健康状態を検査する検査手段と、
前記検査の結果に基づき、前記被験者の健康管理に関する課題を解決するための少なくとも１つ（好ましくは複数）の解決策を作成する作成手段と、
前記被験者が前記解決策を少なくとも１つ選択する選択手段と、を具備すること、
を特徴とする健康管理システムを提供する。
【０００９】
このような構成により、被験者は、自己の健康状態の検査の結果に基づき、健康管理に関する課題を解決するための複数の解決策（以下、「プログラム」ともいう。）を得ることができ、そのなかから自分の納得できる解決策を選択することができる。そのため、被験者は、自らの日常の行動、心情、嗜好、突発的な事象および生活環境などを考慮した健康管理に関する的確なアドバイスを受けることができ、不快感や苦痛を感じることなく上記アドバイスどおりに自らの健康を管理することできる。
【００１０】
また、本発明の健康管理システムは、前記被験者が前記解決策を実行した成果を前記作成手段に伝達する伝達手段を具備し、前記作成手段は、前記成果に基づいて前記解決策を作成することが好ましい。
このような構成により、被験者は、解決策を実行した成果を反映させた解決策を、再度選択することができ、自らの日常の行動、心情、嗜好、突発的な事象および生活環境などを考慮した健康管理に関する的確なアドバイスを受けることができ、不快感や苦痛を感じることなく上記アドバイスどおりに自らの健康を管理することできる。
【００１１】
また、本発明の健康管理システムにおいて、前記作成手段は、前記成果が所定の段階に達するまで前記解決策を作成することが好ましい。
このような構成により、被験者は、自分の健康状態について納得できるまで前記作成手段から解決策の提供を受けることができる。
【００１２】
さらに、本発明の健康管理システムは、前記測定データまたは前記加工データを医療機関に転送するデータ転送手段（第２の転送手段）を具備することが好ましい。
このような構成により、医療機関は、上記のような蓄積データまたは加工データの提供を受けることができる。
【００１３】
また、本発明の健康管理システムは、前記解決策を前記被験者に転送する解決策転送手段（第３の転送手段）を具備することが好ましい。
このような構成により、被験者は上記のような解決策を容易かつ確実に受け取ることができる。
【００１４】
また、本発明の健康管理システムにおいては、前記測定手段が、前記被験者の複数のデータを測定することが可能である構成を有するのが好ましい。
このような構成により、被験者は自己の健康状態をより反映して作成された健康管理のためのアドバイスを受けることができる。
【００１５】
また、本発明の健康管理システムにおいては、前記検査手段が、予め定められた基準値データを記憶する記憶部、ならびに前記基準値データと前記蓄積データまたは前記加工データとを比較する比較部を具備することが好ましい。
このような構成により、蓄積データや加工データを、予め記憶された閾値などの基準値データと比較して検査することができ、被験者は自己の健康状態をより反映して作成された健康管理のためのアドバイスを受けることができる。
【００１６】
また、本発明の健康管理システムにおいては、前記作成手段が、前記被験者の生活の満足度を表すデータに基づいて前記解決策を作成することが好ましい。上記「満足度を表すデータ」としては、例えばＱＯＬを数値化して得られるデータなどが挙げられる。
このような構成により、被験者は、自己の生活上の満足度を表すデータに基づいても、健康管理のためのアドバイスを受けることができる。
【００１７】
さらに本発明は、
被験者の健康管理を行う健康管理機関と、前記被験者の健康に関するデータを測定する測定サイトと、を具備する健康管理システムであって、
前記測定サイトにおいて、前記被験者の健康に関するデータを前記測定する測定手段と、
前記測定サイトから前記健康管理機関に、前記測定手段によって得られた測定データを転送する測定データ転送手段と、
前記健康管理機関において、前記測定データ転送手段によって転送された前記測定データを蓄積する蓄積手段と、
前記健康管理機関において、前記蓄積手段に蓄積された前記測定データを加工し、加工データを得る加工手段と、
前記健康管理機関において前記測定データまたは前記加工データに基づいて前記被験者の健康状態を検査する検査手段と、
前記健康管理機関において、前記検査の結果に基づき、前記被験者の健康管理に関する課題を解決するための複数の解決策を作成する作成手段と、
前記測定サイトから、前記被験者が前記複数の前記解決策のうちの少なくとも１つを選択する選択手段と、を具備すること
を特徴とする健康管理システムを提供する。
【００１８】
このような構成により、被験者の健康状態の検査の結果得られた課題を解決するための解決策が、健康管理機関で被験者に応じて作成され、被験者は健康管理に関するアドバイスとして自分の納得できる解決策を選択することができる。
【００１９】
また、本発明の健康管理システムにおいては、前記健康管理機関が、前記検査の結果を健康関連事業機関に転送する検査結果転送手段を具備することが好ましい。
このような構成により、被験者が解決策を実行する際に利用する薬局やトレーニングセンターなどの健康関連事業機関の情報が参考になる場合に、上記健康管理機関は、上記検査の結果を上記健康関連事業機関に提供することができる。そして、被験者は、上記健康関連事業機関において、上記解決策を適切に実行することができる。
【発明の効果】
【００２０】
以上のように、本発明の健康管理システムによれば、顧客である被験者が、自らの日常の行動、心情、嗜好、突発的な事象および生活環境などを考慮した健康管理に関する的確なアドバイスを受けることができ、何ら不快感、支障や苦痛を感じることなく上記アドバイスどおりに自らの健康を容易かつ確実に管理することができる。
【発明を実施するための最良の形態】
【００２１】
以下、本発明の健康管理システムの実施の形態について、図面を用いて説明する。
【００２２】
［実施の形態１］
図１は、本発明の実施の形態１の健康管理システムの構成を示すブロック図である。図１に示すように、本実施の形態の健康管理システムにおいては、例えば糖尿病予備軍と言われる複数の被験者１は、いつでもどこでも血液を採取することのできる測定手段である血液採取チップ２と、血液採取チップ２で採取された血液の測定データを健康管理機関である健康管理センター４に転送することができる携帯電話などの携帯端末機３を有している。
すなわち、携帯端末機３は測定データ転送手段（第１の転送手段）としても機能する。
【００２３】
健康管理センター４は、携帯端末機３から転送された血液の測定データを入出力部５を介して受信し、蓄積手段である蓄積データベース６に前記測定データを蓄積する。また、加工手段である演算加工部７は、蓄積データベース６の蓄積データを演算加工し、得られた加工データは加工データベース８に蓄積される。
そして、検査手段である検査部９が、蓄積データベース６に蓄積された測定データまたは加工データベース８に蓄積された加工データに基づいて、被験者１の健康状態（すなわち生活習慣病である糖尿病か否か、またはその疑いがあるか否かなど）を検査する。
【００２４】
検査部９での検査の結果得られた糖尿病に関する課題を解決するための解決策は、作成手段である解決策提供部１０に送られ、解決策提供部１０において、被験者１の日常の行動、心情、嗜好、突発的な事象および生活環境などに応じて、かつ被験者１が選択できるように、複数の解決策が作成される。
また、健康管理センター４の入出力部５は、蓄積データベース６に蓄積された測定データまたは加工データベース８に蓄積された加工データを、外部転送部１１を介して外部の病院などの医療機関１２や、フィットネスセンターや薬局などの健康関連事業機関１３などに転送する転送手段（第２の転送手段）としての機能も有する。
【００２５】
さらに入出力部５は、被験者１の普段の生活環境などについての被験者１からの情報や、健康管理センター４から提案された解決策などについての被験者１の意見を、被験者状況調査部１４に伝達する際のインターフェースの機能も有している。
すなわち、被験者状況調査部１４では、被験者１から、食事内容、運動内容、休養内容および環境内容などの生活習慣が聴取され、当該生活習慣に関する情報が蓄積される。なお、これら生活習慣の情報は、蓄積データベース６に蓄積された測定データと一体となって扱われることも必要であるため、蓄積データベース６に蓄積してもよい。
【００２６】
また、健康管理センター４の検査部９は、血液の測定データから被験者１が糖尿病、高脂血症または肥満などの生活習慣病を患っているか否か、また患っている疑いがあるか否かを判断するため、記憶部である基準値データベース１５と比較部である比較検査部１６とを有している。
基準値データベース１５は、血液の測定データについて予め定められた閾値などの基準値データを蓄積しており、比較検査部１６は、上記基準値データと、蓄積データベース６に蓄積された測定データまたは加工データベース８に蓄積された加工データとを比較して、上記血液の測定データから、生活習慣病か否かまたはその疑いがあるか否かを検査する。
【００２７】
また、健康管理センター４の解決策提供部１０は、解決策データベース１７と解決策作成部１８を有している。解決策データベース１７は、各生活習慣病に応じて血液の測定データに基づく一般的な解決策を蓄積している。解決策作成部１８は、検査部９の比較検査部１６によって、血液の測定データから例えば糖尿病の疑いがあると判断された場合に、蓄積データベース６、加工データベース８、被験者状況調査部１４および解決策データベース１７の内容に基づいて、被験者１のそれぞれの嗜好や生活環境に応じた解決策を作成する。
【００２８】
解決策データベース１７には、例えば糖尿病に関して、多種多様のデータが蓄積されている。例えば、身長Ａで、体重Ｂの人が１日に摂取すべきエネルギー量、前記エネルギー量を摂取するための多数の一般的な献立およびそれらの食材、前記食材それぞれのエネルギー量、運動の種類、前記運動に必要な器具、前記運動によるエネルギー消費量、睡眠および旅行などの休養の種類、ならびに前記休養によるエネルギー消費量などの多種多様のデータが蓄積されている。
さらには、各種演算のための式データや、被験者１に対して提案すべき課題解決策を作成する文例および語彙、ならびに前記解決策について被験者１に意見を求めるための多数の質問項目などのデータが蓄積されている。
【００２９】
なお、健康管理センター４は、被験者１に対して解決策としての各種のプログラムを提案するため、管理栄養士、栄養士、糖尿病療養指導士、保健士、看護士、運動トレーナーおよび理学療養指導士などの、各分野における専門家を配置しておくのが好ましく、当然のことながら、被験者１に解決策を指導するために医師が存在していることが好ましい。
以上のように構成された本実施の形態の健康管理システムにおける各ステップの流れについて、図２に示すフローチャートを用いて説明する。
【００３０】
被験者１は、自分の好きな時間に好きな場所で、血液採取チップ２で指先から血液を採取し（Ｓ１）、血液を採取した血液採取チップ２を携帯端末機３に装着しデータの測定を行う。そして、携帯端末機３の転送ボタンを押し、血液の測定データを健康管理センター４の入出力部５に転送する（Ｓ２）。
血液採取チップ２として糖尿病検査用のチップを使用するとき、要管理者の場合には、転送される血液の測定データは、血糖値およびヘモグロビンＡ１ｃ（ＨＡ１ｃ）値のみでよい。例えば被験者１が初めての診断を受ける場合などは、上記の値のみに限らず、肝疾患の予防のためのＧＯＴ値、ＧＰＴ値およびγ−ＧＴＰ値、高脂血症の予防のための総コレステロール値、ならびに赤血球数および白血球数などを測定して、これらを測定データとして入出力部５に転送してもよい。また、血液採取チップ２とは別に、検尿チップを用いて、淡白定性や糖定性などの尿の一般的な測定データを転送してもよい。
【００３１】
健康管理センター４の入出力部５に転送された測定データは、健康管理センター４の蓄積データベース６において、被験者１毎に、血液採取日、被験者１の生年月日、身長および体重などの基礎データとともに蓄積される（Ｓ３）。
そして、転送された測定データのそれぞれが、基準値データベース１５に含まれる閾値に基づいて比較検査部１６で比較され（Ｓ４）、測定データに異常があるか否かが検査される（Ｓ５）。
【００３２】
例えば、年齢が５０歳、身長が１６８ｃｍ、体重が６０ｋｇ、血糖値が１２３、ＨＡ１ｃ値が５．２である日本人被験者１の場合、例えば、日本における正常域である血糖値の閾値の範囲が一般的に７０から１０９であり、ＨＡ１ｃ値の閾値の範囲が一般的に４．３から５．８であるとすると、被験者１の血糖値もＨＡ１ｃ値も上記閾値の範囲内にある。
そのため、この場合は異常なし（Ｎ）と判断され、つぎの測定データの蓄積および比較に続く（Ｓ３）。
【００３３】
一方、例えば血糖値が１０８で閾値の７０から１０９の範囲内であるが、ＨＡ１ｃ値が６．０で閾値の４．３から５．８の範囲外であるとすれば、医師などを含む健康管理センター４は、被験者１が要管理者（Ｙ）であると判断する。なお、要管理者（境界域）か、正常域か、地領域かの判断基準は、健康管理センターによって定め、判定基準値は、予めデータベースに登録しておけばよい。
被験者１が要管理者と判断されると、被験者１の過去の測定データがあるか否かを蓄積データベース６を検索して調べる（Ｓ６）。過去の測定データがある場合（Ｙ）は、その測定データを抽出する（Ｓ７）。
【００３３】
つぎに、被験者状況調査部１４によって得られた被験者１の生活習慣、生活環境および嗜好などの被験者状況が登録されているか否かを検索する（Ｓ８）。生活環境や嗜好が登録されている場合（Ｙ）には、被験者状況のデータを抽出し（Ｓ９）、血液の測定データ、過去のデータ、および生活環境や嗜好のデータに基づいて、糖尿病に関する現在までの科学的根拠に基づく解決策データを蓄積した解決策データベース１７を参酌し、被験者１に対する独自の解決策を複数個作成する。
そして、作成した複数個の解決策を入出力部５を介して被験者１に転送して提供し、被験者１に選択させるとともに、蓄積データベース６に被験者１の情報として蓄積する（Ｓ１０）。
【００３４】
なお、Ｓ６で過去のデータが蓄積データベース６に無い場合（Ｎ）や、Ｓ８で被験者１の生活習慣、生活環境および嗜好が登録されていない場合（Ｎ）には、得られた測定データに解決策データベース１５の一般的なデータを参酌して被験者１に対する独自の解決策を複数個作成する。
そして、作成した複数個の解決策を入出力部５を介して被験者１に転送して提供し、被験者１に選択させるとともに、蓄積データベース６に被験者の１の情報として蓄積する（Ｓ１０）。
【００３５】
解決策の提供に際しては、基本的に、身長および体重などの基礎データ、携帯端末機３から転送されたデータ、被験者１の運動に関するデータ、ならびに食事に関するデータなどが用いられる。これらのデータと、必要な治療の段階、要管理者の段階および健常者の段階に応じた、現在までの科学的根拠に基づく解決策が作成されて提供される。
例えば、蓄積データベース６を検索した結果、過去のデータとして徐々にＨＡ１ｃ値が下がってきているデータが蓄積されており、被験者状況調査部１４の検索の結果として、食生活は油物や肉類を極力食べていない、軽い運動は苦にならない、というデータがある場合を想定する。
【００３６】
この場合、例えば糖尿病予備軍の場合は、解決策データベース１７の中から、「今日の夕食の献立は、ａ：ドリアと食後３０分のランニング、ｂ：オムライス、ｃ：寄せ鍋、ｄ：鮭弁当、ｅ：ビールと並にぎり、のいずれかから選んでみてはどうでしょうか？これらのエネルギー量は、６００〜８００ｋｃａｌです。」などのように、被験者１の現在の食生活、生活習慣および生活環境を考慮した、選択可能ないくつかの解決策としてのプログラムを作成し、被験者１に、携帯電話やＰＣ（パーソナルコンピュータ）を利用して提供する。被検査者１は、そのなかから、例えば「ａ：ドリアと食後３０分のランニング」を選択することができる。
【００３７】
その後、被験者状況調査部１４は、被験者１が自ら選択して実行した解決策としてのプログラムに対する意見を、解決策データベース１７のなかから選んだ語彙や文章を使って、携帯電話やＰＣを使ったメールやファックスにより、入出力部５を介して被験者１に問い合わせる（Ｓ１１）。
【００３８】
このようなＳ１１の意見聴取に際しては、その結果に基づいて、被験者１が実行し易いプログラムを作成して提供できるような質疑応答形式とするのが好ましい。
例えば、プログラムの内容が被験者１にとって実行可能性および実行容易性、実行不可能であった場合に問題点はどこにあったか（食事の献立、材料、運動の過負荷、運動内容などに問題があったのか？）、ならびに糖尿病の予防のための解決策として希望はないかなど、プログラムに対する被験者１本人の意見を、携帯端末機３を介して質疑応答をすることにより聴取し判断する。この質疑応答は、問診形式のように、ある一定時間をかけて行うのが好ましい。
【００３９】
すなわち、解決策作成部１８が解決策データベース１７内のデータを検索して、被験者１への質問を作成し、これに対する被験者１からの回答内容に応じて、再び、解決策作成部１８が解決策データベース１７の中のデータを検索して質問を作成し、被験者１に送る。
このようなステップを質問ごとに繰り返していくことにより、短時間で被験者１の実情に応じた新しいプログラムを容易かつ確実に作成することができる。
【００４０】
ここで、図３に、例えば糖尿病予備軍の被験者１に対する質疑応答の内容の一構成例を示す。
図３に示すように、質問は、「解決策をどの程度実行できたか」、実行できた程度が５０％以下なら、「実行できなかった理由は何か」、「食生活の改善は可能か」、「酒の量はどの程度減らせるか」、「食後の運動に費やせる時間はどの程度か」、「犠牲にできないものは何か」など、択一式を含む対話形式で行う。
【００４１】
被験者１は、それぞれの質問に対して、実行できた程度が２５％なら「３０％」を選択するとともに、「食後の運動は無理」、食生活の改善は「少しは可能」、「酒は少し減らせる」、食後の運動に費やせる時間は「２０分」などを選択し、犠牲にできないものとして「毎日の３５０ｍＬのビール」を入力する。
携帯電話やＰＣを用いる場合にはキー入力で、ファックスを用いる場合には書面で回答することも可能である。
【００４２】
質疑応答の判断の結果、被験者１に意見があった場合は（Ｓ１１のＹ）、質疑応答の内容を反映して、再度、複数個のプログラムを作成して被験者１に提供し、被験者１に選択させて蓄積し（Ｓ１０）、被験者１が納得して実行できると判断するまで、この質疑応答のステップを繰り返してもよい。
しかも、Ｓ１０とＳ１１の繰り返しは、解決策作成部１８から一旦提供された、被験者１が実行できると判断した解決策を、何らかの事情や意思によって実行できなかった場合に行うのも好ましい。これにより、日々の健康管理において、状況が変化すれば、被験者１はその都度その状況を健康管理センター４に伝え、適切なプログラムが得られる。
【００４３】
例えば、急に来客があって食事の接待を行ったために解決策として提供された食事メニューを摂取できなかった場合や、急の出張のためプログラムで提供された運動を実行できなかったという場合のように、何らかの事情により所定のプログラムを実行できないことはよくあることであると考えられる。
そのため、本実施の形態においては、被験者１は例えば携帯端末機３を使用して、プログラムを実行できなかった状況を、その度ごとに、血液の測定データとともに健康管理センター４に報告する。例えば、カメラ付の携帯端末機３を用いて接待時の食事を映して健康管理センター４に送信したり、出張先のホテルでは外部で運動するのが困難であったために「部屋で腕立て伏せを１０回した」などを健康管理センター４にメールで送信したりしてもよい。
【００４４】
健康管理センター４は、送られてきた血液測定データを検査する一方、食事の写真や運動の状況から判断して、既に提供しているプログラムを必要に応じて部分的に修正を加え、図２に示すフローにしたがって新たなプログラムを作成および提供する。
なお、Ｓ１１における判断の結果、健康管理センター４から提供されたプログラムに対して被験者１に意見がなければ（Ｓ１１のＮ）、その後のこの種の質疑応答は省略すればよい。
【００４５】
ところで、被験者１のプログラムに対する満足度は、人間の心の満足度を数値化したＱＯＬ（Quality Of Life）として、今日、一般に知られ始めてきた手法を用いて判断することができる。
したがって、Ｓ１１で、被験者１が実行できるプログラムであると判断してしばらく実行しても、１ヶ月、六ヶ月または１年の期間で実際に経験することにより、やはり心から満足できないと判断する場合もある。このような状況にも対応できるように、本実施の形態では、Ｓ１１の後に、心の満足度を被験者１に問い合わせる（Ｓ１２）。
【００４６】
ＱＯＬ（心の満足度）の評価は、一般に質問形式で行われることが知られているが、その質問形式の一例を、図４に示す。図４は、「福原俊一、鈴鴨よしみ、ＳＦ−３６ｖ２  日本語マニュアル：ＮＰＯ  健康医療評価研究機構、京都、２００４」の質問内容の一部抜粋を示すものである。
図４に示すように、上記ＱＯＬの評価においては、被験者１に対して本人の健康についての質問を行う。実際には、このような質問を含むさらに多くの質問が、アンケートで行われる。
なお、上記ＳＦ−３６においては、問診表のフォーマット、質問内容およびアンケート結果について、疫学的評価がなされている。
【００４７】
このような質問を様々なカテゴリーで行うことにより、プログラムに対する被験者１の心の満足度を定性的でなく数値で定量的に評価することができる。なお、心の満足度に関する判断は、例えば年１回の健康診断の時に併せて行ってもよい。
また、上記のような質問によって被験者１が適切な満足度に達しなかった場合（Ｓ１２のＮ）、再度、Ｓ１０からのステップを繰り返して、被験者１が取組むことのできるプログラムの作成および提供を、被験者１の納得が得られるまで行うのが好ましい。一方、被験者１の心の満足度が得られれば（Ｓ１２のＹ）、そこでプログラムの作成および提供を終了すればよい。
【００４８】
ただし、前述したように、突発の事象などで、何らかの都合で被験者１が提供され選択したプログラムを実行できなかった場合には、被験者１は自ら血液採取チップ２を用いて血液の測定データを健康管理センター４に転送し、Ｓ１からのステップを繰り返せばよい。
このように、質疑応答を繰り返して被験者１が納得できるまで選択可能なようにプログラムを提供することは、従来のように、「これまでの食生活を続けるとともに、食後に少し汗をかくくらいの運動をして下さい。」、「食事のカロリーを×××キロカロリーに減らしなさい。」、および「食事の献立は○○○と△△△・・・にしなさい。」などのように、各生活習慣病に対応する血液データに基づく一般的な一つの解決策を一方的に被験者１に提供するものとは異なる。したがって、被験者１は自らの生活習慣や生活環境に合わせて、実行しやすいプログラムを自分の意思で選ぶことができる。
【００４９】
もちろん、本実施の形態の蓄積データベース６には、従来からの一般的なプログラムの表現を蓄積することも可能であるが、被験者１にはそのまま提供することはなく、あくまでも図２に示すフローにしたがって、被験者１の日常の行動、心情、嗜好、突発的な事象および生活環境などを考慮して作成されたプログラムが提供される。
【００５０】
ところで、糖尿病を改善するためのプログラムの作成に際し、運動や休養の観点から、他の健康関連事業者の情報提供が必要な場合には、被験者１の各種データを、被験者１の了解を得て、他の健康関連事業者に提供してもよい。これにより、例えば糖尿病の改善のための情報（例えば運動器具情報、低カロリー食材情報、献立情報および温泉情報など）を、健康関連事業者から被験者１に提供させることが可能である。また、健康管理センター４が自らこれら健康関連事業者から情報を入手し、被験者１に対して作成および提供するプログラムに当該情報を反映させることも可能である。
【００５１】
他の健康関連事業者としては、例えば運動を提供するフィットネスクラブおよびカルチャースクール、家庭での運動を推進するための運動器具メーカーおよびスポーツ用品メーカー、サプリメントおよび健康食品を提供する食品業者、糖尿病の食事に合わせた食材を提供できる食材宅配業者および弁当宅配業者、休養を提供する温泉協会および旅行代理店、ならびにそのための旅行業者などが挙げられる。
【００５２】
以上のように、本実施の形態によれば、多くの種類のデータベースを有する解決策データベース１７に基づいて解決策作成部１８で作成される複数個のプログラムから、被験者１が所望するプログラムを主体的に選択することができる。
しかも、選択したプログラムを実行できるものであると被験者１が確信を持てるようになるまで、被験者状況調査部１４と被験者１との間で質疑応答が繰り返し行われ、また、選択したプログラムが被験者１の心の満足度を向上させるものである。そのため、従来とは異なり、本実施の形態によって提供されるプログラムは一般的なものでも一方的なものでもなく、被験者１は例えば糖尿病予防のためのプログラムを、自ら選択して苦にすることなく実行することができ、糖尿病予防の達成が容易に可能となる。
【００５３】
また、選択したプログラムを実行できなかったとしても、即座に新しいプログラムの提供を受けることができる。すなわち、被験者1は自分の健康管理を健康管理センター４に全面的に安心して委ねることができる。
なお、被験者１の満足するプログラムを提供することができても、海外転勤や不慮の事故などにより、被験者１がどうしても実行できない場合もある。また、被験者１は解決策を実行しているつもりでもそれが十分でない場合もあり得る。このような場合には、血液の測定データを改善することができずに悪化することも考えられるが、測定データが閾値を超えて医者による治療の必要な範囲に及んだならば、健康管理センター４は、入出力部５および携帯端末機３を介して、被験者１のデータが要治療範囲になった事実や適切な病院１２の紹介を被験者１に通知することができる。
【００５４】
測定データが閾値を超えて医者による治療の必要な範囲に及んだ場合、健康管理センター４の蓄積データベース６に蓄積されたその被験者１の過去のデータは、被験者１に紹介した病院としての医療機関１２に入出力部５を介して外部転送部（第２の転送手段）１１から転送してもよい。
このような構成によれば、被験者１は紹介された病院に出向いても新たに検査をすることなく、専門的に医者の治療を即座に受けることができる。
【００５５】
また、被験者１が医者による治療を受けるまでもなく、補助薬で治癒すると健康管理センター４で考えられる場合は、その情報を被験者１に伝えるとともに、適切な補助薬を購入できる健康関連事業機関１３としての薬局の情報も知らせ、薬局にはその被験者１の処方箋も転送することができる。
【００５６】
なお、以上の実施の形態では、解決策作成部１８でプログラムを作成するのに、蓄積データベース６の血液の測定データのみを利用したが、必要に応じて、この測定データを演算加工部７で加工して加工データベース８に蓄積し、得られた加工データをも用いてプログラムを作成して提供することもできる。
例えば、加工データベース８に、当該被験者１の血液の測定データ全てについて毎年の平均値を演算して蓄積しておけば、被験者１の血糖値の過去１年間の平均値を考慮する必要がある場合には、加工データベース８の加工データを考慮してプログラムを作成することができる。
【００５７】
また、糖尿病予備軍の被験者１全員の血液の測定データを、年齢、性別および生活習慣などの条件に基づいて、演算加工部７で演算、加工および分析し、得られた加工データを加工データベース８に蓄積しておくことも可能である。
これにより、外部の医療機関である病院１２にその加工データを一般データとして提供し、例えば糖尿病などの日本人の生活習慣病予備軍の傾向を分析し予防対策をするのに役立てることができる。
【００５８】
ところで、上記実施の形態では、健康管理センター４が被験者１の健康管理の代行をするような機能を有しており、この代行機関が被験者を数多く集めることによって、いろんな生活習慣病についての多くのデータを１ヶ所に集中することができ、その結果これら生活習慣病の分析データも多く得られ、生活習慣病に対する有効な治療や予防の方法も見出せる可能性がある。
また、測定手段として、血液採取チップ２以外に、血圧計、歩数計および脈派計などを用いることができる。また、測定データ転送手段としては、携帯端末機３以外に、ＰＣ、ＰＤＡ（情報携帯端末）およびファックスなどが利用することができる。ただし、測定手段と測定データ転送手段とは、非接触でデータの相互に伝送できる構成を有するのが好ましい。
【００５９】
さらに、各種データの転送、プログラムの提供および被験者１の状況調査などの、健康管理機関と測定データ転送手段との伝達は、例えば通信キャリアやインターネットを利用して実現することができる。
なお、本実施の形態では、糖尿病予備軍である被験者１の血液のデータを測定する場合について説明したが、例えば骨粗鬆症の予防が必要な被験者の場合にも適用することができる。骨粗鬆症の場合には、腕の周囲の長さや体重などを測定データとして用いることによって、同様に被験者１が選択できる複数のプログラムを作成および提供することができる。
【００６０】
［実施の形態２］
図５は、本発明の実施の形態２の健康管理システムの構成を示すブロック図である。図１と同じ構成要素には同一番号を付し、その説明を省略する。
図５に示すように、本実施の形態の健康管理システムは、医療支援部門、健康増進エージェントおよび要管理者支援部門が連携して、被験者１の健康管理を実現するものである。
【００６１】
健康管理センター４の日常健康データベース５１は、上記実施の形態１における蓄積データベース６、加工データベース８および解決策データベース１７を含み、ここに被験者１の各種データが蓄積されている。
病院や診療所などの医療機関１２の医療データベース５２には、医療機関１２が採取した生活習慣病患者５３のデータが蓄積されており、健康関連事業機関１３の健診データベース５４には、健康関連事業機関１３が定期的な健康診断で測定した生活習慣病の要管理者５５のデータが蓄積されている。
なお、本実施の形態は、健康関連事業機関１３が保険者５６からなる健康保険組合であるとして説明する。
【００６２】
このような本発明の健康管理システムにおいては、健康管理センター４は被験者１から日常の健康管理サービスを委託され、被験者１は、上記実施の形態１で説明したように、日々の健康管理に関するデータに基づく、被験者１が選択可能で満足できるきめ細かな生活習慣病の改善サービス（解決策としてのプログラムの一種）５７の提供を受けることができる。
そして、被験者１はそのような改善サービス５７の提供に対して対価５８を支払うことになる。また、これによって、健康管理センター４は各種生活習慣病に関する多くのデータを蓄積することができる。
【００６３】
また、健康管理センター４は、医療機関１２からの依頼を受けて、医者による治療が必要な生活習慣病患者５３に対する療養計画書などの療養に関する支援５９を行うとともに、生活習慣病患者５３に対して、上記実施の形態１で説明したように、日々の生活習慣データに基いて、生活習慣病患者５３が選択可能で満足できるきめ細かな療養のためのプログラムに関する指導サービス（解決策としてのプログラム）６０の提供を行うことができる。
この場合、医療機関１２は、療養計画書などの療養に関する医療機関１２への支援５９および生活習慣病患者５３に対する療養に関するサービス提供６０に関して、健康管理センター４対して対価６１を支払い、生活習慣病患者５３は医療機関１２に治療費６２を支払うことになる。
また、これによって、健康管理センター４は、医療機関１２が独自で行った生活習慣病患者５３の医療データ６３や、健康管理センター４が行った生活習慣に関する多くのデータ６４を蓄積することができる。
【００６４】
さらに、健康管理センター４は、保険者５６から依頼を受けて、被保険者である要管理者５５に対して、上記実施の形態１で説明したように、日々の生活習慣データに基いて、要管理者５５が選択可能で満足できるきめ細かな生活習慣病改善に関する指導サービス６５の提供を行うことができる。これに加えて、要管理者５５への指導サービス６５の結果のフィードバック６６を保険者５６に対して行う。
この場合、健康関連事業機関１３は、要管理者５５に対する生活習慣病改善に関する指導サービス６５の提供と、この結果のフィードバック６６に関して、健康管理センター４対して対価６７を支払い、一方、要管理者５５は保険者５６にこの指導サービス６５に対する対価を含む保険料６８を支払うことになる。
また、これによっても、健康管理センター４は、健康関連事業機関１３が法律で実施を義務付けられている、独自で行った要管理者５５の定期的な健診データ６９や、健康管理センター４が行った生活習慣に関する多くのデータ７０を蓄積することができる。
【００６５】
さらにまた、健康管理センター４は、このような被験者１や生活習慣病患者５３、要管理者５５に対するデータに基づいた選択可能できめ細かな生活習慣病改善に関するサービス提供のノウハウを対価を得て他地域に展開することにより、他地域の生活習慣病の改善を図ることができる。
健康管理センター４が電気会社などと提携して血液採取チップ２や携帯端末機３の製造を委託し、健康管理センター４自らが中心となって被験者１や生活習慣病患者５３や要管理者５５の多くの人にこれら機器を販売することにより、被験者１などもこれら機器の安定購入や製造業者の安定販売を実現することも可能である。
【００６６】
以上のように、本実施の形態の健康管理システムによれば、ＰＣ、携帯電話およびインターネットなどを利用して、被験者１という個人に対して、満足できる健康管理の解決策を選択できる状態で自ら提供できるだけでなく、生活習慣病患者５３や要管理者５５に対しても満足できる健康管理の解決策を提供でき、また医療機関１２や健康関連事業機関１３に対しては、それぞれが生活習慣病患者や要管理者に対するサービスを行う専門家を多く抱えることないように、自ら療養計画書の作成、指導などで支援するとともに、専門家の育成、派遣、測定データの蓄積および分析などの支援も行うことができる。
【００６７】
さらに、その結果、日常健康データベース５１には非常に多くのデータが集まり、それを加工することにより、各種生活習慣病についての傾向をきめ細かく分析できるデータを医療機関１２や健康関連事業機関１３へ提供でき、さらなる社会の生活習慣病の改善に役立てることができる。
すなわち、健康管理センター４は、本発明を適用することにより、医療機関１２や健康関連事業機関１３に対して、生活習慣病指導や要管理者指導のフォローアップのように、医療支援や要管理者支援といったサービス提供の機能を有するとともに、測定データの蓄積、分析、生活習慣病の研究支援、専門家のＩＴによる育成、派遣のための管理といったエージェントのような機能も有して、広く社会の生活習慣病改善に貢献することができる。
【００６８】
上述した本発明の実施の形態では、外部機関として医療機関１２や健康関連事業機関１３を例に説明したが、その他に、フィットネスクラブ、食事宅配業者および保険会社などと連携して、体力づくりのプログラムを提案したり、解決策で提案した食事プログラムを宅配させたり、病状に応じた保険の勧誘などを可能にする態様にも展開することが可能である。
【００６９】
また、上記実施の形態１における解決策作成部１８によって作成される解決策としてのプログラムは、上述したように作成することができるが、例えば以下のような手順によっても作成することができる。
【００７０】
（１）被験者１のＩＤを入力して、蓄積データベース６を検索し、氏名、性別、年齢、体重および身長を表示し、本人確認を行う。
（２）被験者１の生活習慣、運動習慣およびＱＯＬを被験者状況調査部１４から取り込む。
（３）被験者１の嗜好、制約、健康に関する志向および願望を被験者状況調査部１４から取り込む。
（４）取り込んだデータから、解決策データベース１７を検索して、運動メニューおよび栄養メニューの行動目標データを検索して抽出する。この行動目標データはメタデータ（数値が変数のままである行動目標）であってよい。したがってこの場合、解決策データベース１７には予め運動メニューおよび栄養メニューの行動目標データが蓄積されている。
（５）抽出された行動目標データのうち、メタ分析に基づく解決策（プログラム）の作成方針に該当しないデータを削除する。
（６）残りのデータのうち、被験者１に勧めるプログラムを作成するために、被験者１の蓄積データから、性別、年齢、体重および身長などからプログラムの内容を決定する。
（７）作成したプログラムを入出力部５により被験者１に提供する。
【００７１】
ここで、メタデータとは、氏名、性別、年齢、体重および身長などの被験者１の属性に対して、被験者１の生活習慣、運動習慣およびＱＯＬの結果と、被験者１の嗜好、制約、健康に関する志向および願望の結果（行動目標）と、解決手段（行動目標）とを、構成要素として配列して構成するデータのことをいう。また、当業者が適宜選択した構成要素がさらに含まれていてもよい。
また、メタ分析とは、メタデータの構成要素と解決手段との組合せから、解決手段の選択に際しての行動目標の選択や、選択後の健康管理の評価をすることをいう
【００７２】
上記のようなプログラム作成において用いられる解決データベース１７の一例を図６に示した。図６に示すように、この解決策データベース１７は、目標分類、評価目標設定値、行動分類、行動目標、目標設定定量化ノウハウなどからなる。被験者１のメタデータ配列には、目標設定の結果データも含まれていてもよい。
このような解決策データベース１７を用いることにより、メタデータの一部を入力することで、関連するデータを抽出することができる。また、解決策データベースのデータが増加し、披検者データが蓄積されていくことで、メタデータの組み合わせが増加し、行動目標の選択に際して、過去のデータの参照が容易になる。
【産業上の利用可能性】
【００７３】
以上のように、本発明の健康管理システムによれば、顧客である被験者が、日常の行動、心情、嗜好、突発的な事象および生活環境などを考慮した健康管理に関するアドバイスを受けることができ、何ら不快感、支障や苦痛を感じることなく上記アドバイスどおりに自らの健康を管理することができる。そのため、本発明は健康管理システムとして有用である。
【図面の簡単な説明】
【００７４】
【図１】本発明の実施の形態１の健康管理システムの構成を示すブロック図である。
【図２】本発明の実施の形態１の健康管理システムにおける各ステップの説明のためのフロー図である。
【図３】本発明の実施の形態１の健康管理システムの被験者状況調査部１４での質疑応答の一例を示す図である。
【図４】本発明の実施の形態１の健康管理システムの被験者状況調査部１４でのＱＯＬを判断するための質疑応答の一例を示す図である。
【図５】本発明の他の実施の形態の健康管理システムの構成を示すブロック図である。
【図６】従来の健康管理システムの構成を示すブロック図である。
【図７】従来の他の健康管理システムの構成を示すブロック図である。
【手続補正３】
【補正対象書類名】図面
【補正対象項目名】全図
【補正方法】変更
【補正の内容】
【図１】
2005091195.tif 000011
【図２】
2005091195.tif 000012
【図３】
2005091195.tif 000013
【図４】
2005091195.tif 000014
【図５】
2005091195.tif 000015
【図６】
2005091195.tif 000016
【図７】
2005091195.tif 000017
【図８】
2005091195.tif 000018
【国際調査報告】
2005091195.tif 000019
2005091195.tif 000020